(57)【要約】      （修正有）【課題】広告依頼者は広告依頼条件を、また広告代理者は広告代理条件を簡単な操作で登録でき、且つネットワークを介して、広告依頼者と広告代理者は、希望の条件に合致した広告取引相手を、幅広い対象の中から、選出し契約できる広告媒体情報の情報処理システムを提供する。【解決手段】コンピュータシステムを利用した広告媒体情報仲介サーバにより、広告依頼者は、広告依頼条件を端末から登録し、一方、広告代理者は、広告代理条件を端末から登録し、広告依頼条件及び広告代理条件に基づいて広告依頼者及び広告代理者が合意をした場合には、広告依頼者は広告代理者に、広告付加物の費用の一部又は全部と、広告費用を支払い、一方、広告代理者は、広告付加物を身に付けたり使用、展示、販売、貸与又は配布等を実施することにより、代理広告を行う広告代理方法を提供し、該広告代理方法をコンピュータシステム化した広告媒体情報の情報処理システムを提供する。【選択図】図１
2007226816.tif 000002
【特許請求の範囲】
【請求項１】
広告媒体情報の仲介を行うコンピューターシステムにおいて、ネットワークを介して  広告依頼者又は広告仲介者の端末より広告を行ってもらいたい人数、期間、地域(エリア)、広告予算、日時による広告代理条件を入力すると、当該広告媒体情報仲介サーバに蓄積されている広告代理者情報の中から広告依頼者の登録した条件に最適な広告代理者の情報が広告代理者番号と共に選出、表示され、該広告代理者と契約及び契約交渉を行うことができることを特徴とする広告媒体情報の情報処理システム。
【請求項２】
請求の範囲１項において、広告依頼者又は広告仲介者の端末より広告代理者番号を入力すると、当該広告媒体情報仲介サーバに蓄積されている広告代理者情報の中から、広告掲出スペースの外観や内観などの画像データ及び／又は映像データ若しくは文字データや数値データによる広告の露出度や広告場所の状態が表示され、該広告代理者と契約及び契約交渉を行うことができることを特徴とする広告媒体情報の情報処理システム。
【請求項３】
広告媒体情報の仲介を行うコンピューターシステムにおいて、ネットワークを介して  広告依頼者又は広告仲介者の端末より登録される広告依頼条件には、広告媒体情報の特性として、広告商品の外観の画像データ若しくは映像データ、及び広告依頼者の業種、商品名や広告期間、広告ターゲット、希望広告エリア、予算などの文字データや数値データを含み、前記広告依頼者又は前記広告仲介者による端末からの出力条件に応じて、前記広告媒体情報仲介サーバに蓄積されている広告代理者の広告代理条件を出力する機能と、前記広告依頼者又は前記広告仲介者による端末からの出力条件に応じて、前記広告媒体情報仲介サーバに蓄積されている広告依頼者の広告依頼条件を出力する機能と広告依頼条件を修正及び削除する機能を備えていることを特徴とする広告媒体情報の情報処理システム。
【請求項４】
広告媒体情報の仲介を行うコンピューターシステムにおいて、ネットワークを介して  広告代理者又は広告仲介者の端末より広告を行うことができる人数、期間、立地条件(地域)、日時や広告掲出スペース及び広告が付加できる対象物、広告料金による広告代理条件を入力すると、当該広告媒体情報仲介サーバに蓄積されている広告依頼者情報の中から広告代理者の登録した条件に最適な広告依頼者の情報が広告依頼者番号と共に選出、表示され、該広告依頼者と契約及び契約交渉を行うことができることを特徴とする広告媒体情報の情報処理システム。
【請求項５】
請求の範囲４項において、広告代理者又は広告仲介者の端末より広告依頼者番号を入力すると、当該広告媒体情報仲介サーバに蓄積されている広告依頼者情報の中から、広告商品の外観の画像データ若しくは映像データ、及び広告依頼者の業種、商品名や広告期間、広告ターゲット、希望広告エリア、予算などの文字データや数値データが表示され、該広告依頼者と契約及び契約交渉を行うことができることを特徴とする広告媒体情報の情報処理システム。
【請求項６】
広告媒体情報の仲介を行うコンピューターシステムにおいて、ネットワークを介して  広告代理者又は広告仲介者の端末より登録される広告代理条件には、広告媒体情報の特性として、広告掲出スペースの外観や内観などの画像データ及び／又は、映像データ若しくは文字データや数値データによる広告の露出度や広告場所の状態のデータを含み、前記広告代理者又は前記広告仲介者による端末からの出力条件に応じて、前記広告媒体情報仲介サーバに蓄積されている広告依頼者の広告依頼条件を出力する機能と、前記広告代理者又は前記広告仲介者による端末からの出力条件に応じて、前記広告媒体情報仲介サーバに蓄積されている広告代理者の広告代理条件を出力する機能と広告代理条件を修正及び削除する機能を備えていることを特徴とする広告媒体情報の情報処理システム。
【請求項７】
請求の範囲１〜６項のいずれかにおいて、広告依頼者と、広告代理者と、広告仲介者に対し、それぞれ識別ID及びパスワードによって、情報の入力又は出力を許可するか否かを決定する機能とを備えることを特徴とする広告媒体情報の情報処理システム。
【請求項８】
請求の範囲１〜７項のいずれかにおいて、広告仲介者は、前記広告媒体情報仲介サーバに蓄積されている広告依頼者及び広告代理者の契約手続き又は契約交渉を仲介することができる機能を備えることを特徴とする広告媒体情報の情報処理システム。
【請求項９】
請求の範囲６項において、前記広告代理者が店舗・施設を広告媒体として登録する場合は、店舗及び施設の媒体データを構成する店舗及び施設の外観や内観の画像データ又は映像データや、業種・業態や、利用客及び来場者の年齢層・男女比率・年間又は月間の利用客数及び来場者数や、平均滞在時間などの文字データや数値データを媒体情報として広告代理条件の登録を行い、一方広告依頼者は年間又は月間の利用客数及び来場者数・年齢層・男女比率・店舗及び施設の業種・業態などの文字データや数値データや、店舗及び施設の外観や内観の画像データ又は映像データなどの幅広い情報登録の中から、広告ターゲットを入力することで、最適な店舗及び施設の媒体情報をピンポイントで選出でき、前記広告代理者を選定して、契約及び契約交渉を行うことができることを特徴とする広告媒体情報の情報処理システム。
【請求項１０】
請求の範囲６項において、前記広告代理者が店舗・施設の制服及びユニフォームを広告媒体として登録する場合は、店舗及び施設の媒体データを構成する店舗及び施設の外観や内観の画像データ又は映像データや、業種・業態や、利用客及び来場者の年齢層・男女比率・年間又は月間の利用客数及び来場者数や、平均滞在時間などの文字データや数値データを媒体情報として広告代理条件の登録を行い、一方広告依頼者は年間又は月間の利用客数及び来場者数・年齢層・男女比率・店舗及び施設の業種・業態などの文字データや数値データや、店舗及び施設の外観や内観の画像データ又は映像データなどの幅広い情報登録の中から、広告ターゲットを入力することで、最適な店舗及び施設の制服及びユニフォームの媒体情報をピンポイントで選出でき、前記広告代理者を選定して、契約及び契約交渉を行うことができることを特徴とする広告媒体情報の情報処理システム。
【発明の詳細な説明】
【技術分野】
【０００１】
本発明は、広告依頼者の代わりに広告を行う広告代理者が、広告付加物を身に付けたり、使用、展示、販売、貸与又は配布等をすることにより、代理広告を実現可能とする広告代理方法と、広告付加物を身に付けたり、使用、展示、販売、貸与又は配布等をすることによって広告依頼者の代わりに広告を行う広告代理者の仲介を行うことにより、代理広告を実現可能とする広告媒体情報の情報処理システムに関する。
【背景技術】
【０００２】
従来より、印刷物（雑誌、新聞、チラシ、電車の中吊り等）を用いて、商品・サービスの広告を行なうことは知られている。また、これらの情報を記憶媒体（ＣＤ−ＲＯＭ、フロッピィディスクなど）に記憶させて、市場に流通させ、コンピュータシステムの端末に表示させて広告を行なうことや、テレビ、ラジオ等の一方向メディアにより、視聴者、聴取者に対して広告を行なうことも知られている。
【０００３】
更に、商品・サービスキャンペーン時や、企業キャンペーン時等に、商品や企業などの広告情報が描かれた衣服を身に着けたキャンペーンガール等により広告を行なうことも知られている。
【０００４】
しかしながら、その場合、広告依頼者が商品・サービスや企業等の広告情報が描かれた衣服什器、パネル、アクセサリー、小物等をその商品や企業等の広告の為だけに作成し、さらに、特定のキャンペーンガール等がキャンペーン時等にのみ着用して広告をおこなうものであり、また極限られた人数、期間で行われるものである。その為、広告依頼者は、その商品・サービスや企業等について極一時的には注目を集めることはでき得るが、ある一定の期間に亘って、より多くの広告ターゲット者に対しての広告効果はあまり期待できない。
【発明の開示】
【発明が解決しようとする課題】
【０００５】
本発明は、上述した問題に鑑みてなされたもので、広告依頼者は、広告対象（商品・情報・映像・アドレス・ホームページアドレス・メールアドレス・サービス、個人名、企業名、団体名等）の広告付加物を身に付けたり、使用、展示、販売、貸与又は配布等をすることによって代理広告を行ってもらいたい人数、期間、立地、日時や広告掲出スペース及び広告が付加できる対象物等の希望の広告依頼条件に合致した広告代理者に対して、代理広告を行ってもらうことができる。一方、広告代理者は、広告付加物を身に付けたり、使用、展示、販売、貸与又は配布等をしたりすることによって広告代理を行い、広告付加物の費用を負担することなく該費用の一部を負担するのみで、更に広告費用等の収入を得ることができる広告媒体情報の情報処理システムを提供することを目的とする。
【０００６】
更に、広告依頼者は、広告内容（商品・情報・映像・アドレス・ホームページアドレス・メールアドレス・サービス、企業名、団体名等）や、広告代理を行ってもらいたい人数、期間、立地、日時や広告掲出スペース及び広告が付加できる対象物等の希望の広告依頼条件を簡単な操作で登録でき、一方広告代理者は代理広告を行うことができる人数や、期間、立地、日時や広告掲出スペース及び広告が付加できる対象物等の広告代理条件を簡単な操作で登録でき、且つネットワークを介して、広告依頼者は、希望の広告依頼条件に合致した広告代理者を、幅広い対象の中から、タイムラグをより少なく、選出できる広告媒体情報の情報処理システムを提供することを目的とする。
【０００７】
又、広告依頼者は、広告内容（商品・情報・映像・アドレス・ホームページアドレス・メールアドレス・サービス、企業名、団体名等）や、広告付加物による広告を行ってもらいたい人数、期間、立地、日時や広告掲出スペース及び広告が付加できる対象物等の希望の広告依頼条件に合致した広告代理者に対して、広告付加物による広告を行ってもらうことができる。更に、該広告代理者が、企業、団体、スポーツチーム(プロ、アマチュア)、大学のサークル、個人及び個人グループで、ユニフォーム、コスチューム、スポーツウェア等を着用する場合は、広告代理を行う際の広告付のユニフォーム、コスチューム、スポーツウェア等の費用を負担することなく又は該費用の一部を負担するのみで、更に広告費用等の収入を得ることができる広告代理方法を提供することを目的とする。また、広告を付ける物が、ステージ衣装等であれば、衣装代や、ステージの製作費等を軽減することができ、且つ広告収入を得ることができる。また、スポーツチームであれば、チームユニフォーム代やスポーツ用具費等を軽減することができ、且つ広告収入を得ることができる。また、広告を付ける物が店舗及び施設のバルコニーテラス、テーブル、イス、ソファー、たたみ、ちゃぶ台、こたつ、タイル、天上、床、壁、照明機具、テーブルクロス、ランチョンマット、ナプキン、屋根、屋上、ディナーペーパー、トレーマット、トイレットペーパー、バナー、ファサード、看板、コースターバナー、のぼり、ひざ掛け、紙エプロン、メニュー表、レシート、パンフレット、ミラー、遊技台（パチスロ台、パチンコ台、ルーレット（台）、ゲーム機、ゲーム台、ダーツ（台）、ピンボール（台）、スロットマシーン、プリクラ、ゲームの景品）、窓ガラス、トランプ、箸、箸入れ、フォーク、スプーン、ストロー、ストロー袋、ショッピングバッグ、紙袋、玄関マット、ドア、カード、地図、ペットボトル容器（ラベルも含む）、コップ、皿、ボール、グラス、紙コップ等であれば、その費用を軽減することができ、且つ広告収入を得ることができる。
【０００８】
更に、広告依頼者は、広告内容（商品・情報・映像・アドレス・ホームページアドレス・メールアドレス・サービス、企業名、団体名等）や、広告付加物による広告を行ってもらいたい人数、期間、立地、日時や広告掲出スペース及び広告が付加できる対象物等の希望の広告依頼条件を簡単な操作で登録でき、一方広告代理者は広告付加物による広告を行うことができる人数や、期間、立地、日時や広告掲出スペース及び広告が付加できる対象物等の広告代理条件を簡単な操作で登録でき、且つネットワークを介して、広告依頼者は、希望の広告依頼条件に合致した広告代理者を、幅広い対象の中から、タイムラグをより少なく、選出できる広告媒体情報の情報処理システムを提供することを目的とする。
【０００９】
広告代理者が店舗・施設等である場合は、店舗及び施設データ、即ち店舗及び施設の業種・業態や、利用客及び来場者の年令層・男女比率・年間又は月間の利用客数及び来場者数や、平均滞在時間等の情報を簡単な操作で登録でき，広告依頼者は、希望の広告依頼内容を、告知したい人数・年令層・男女比率及び店舗・施設等の業種・業態等の幅広い条件の中から簡単な操作で検索でき，広告告知対象者が利用する店舗及び施設をピンポイントで選出でき，広告代理者を選定する事が可能な広告媒体情報の情報処理システムを提供することを目的とする。
【００１０】
広告代理者が、スポーツチーム等である場合は、競技日程、競技場への予定来場者数、テレビ中継、雑誌等の取材、新聞、ポスター等の露出の予定を、情報として登録することにより、広告依頼者は、広告付加物によって広告代理を行う広告代理者の競技予定を簡単な操作で検索でき、且つ広告付加物の露出予定を考慮に入れて広告代理の依頼が可能な広告媒体情報の情報処理システムを提供することを目的とする。
【００１１】
広告代理者が、モデル、ミュージシャン、アーティスト、タレント、芸能人、有名人等である場合は、コンサート、トークショー、イベント、舞台、ファッションショー会場等への予定来場者数、テレビ中継、雑誌等の取材、新聞、ポスター等の露出の予定を、情報として登録することにより、広告依頼者は、広告付加物によって広告代理を行う広告代理者の出演予定を簡単な操作で検索でき、且つ広告付加物の露出予定を考慮に入れて広告代理の依頼が可能な広告媒体情報の情報処理システムを提供することを目的とする。
【課題を解決するための手段】
【００１２】
本発明は広告媒体情報の情報処理システムであって、広告媒体情報の仲介を行うコンピュータシステムにおいて、広告依頼者に対しては、広告依頼条件の入力を促す機能と、該入力情報を広告媒体情報仲介サーバに記憶する機能とを備える一方、広告付加物によって広告依頼者の代わりに広告を行う広告代理者に対しては、広告代理条件の入力を促す機能と、該入力情報を前記広告媒体情報仲介サーバに記憶する機能とを備え、前記広告依頼者からの出力要求に応じて、前記広告媒体情報仲介サーバに記憶されている広告代理条件を出力する機能と、前記広告代理者からの出力要求に応じて、前記広告媒体情報仲介サーバに記憶されている広告依頼条件を出力する機能とを備えることを特徴とする。
【００１３】
尚、広告付加物とは、広告が付加される物であり、その物には、衣類、履物、カバン・袋物、身飾品、織物、その他身の回り品を含む。衣類には、洋服、和服、制服、民族衣装、業務用ユニフォーム、スポーツユニフォーム、スクールユニフォーム、ステージ衣装、作務衣、パジャマ、ジャージ、コート、腹巻き、ガータベルト、ビブス、レインコート、ハッピ、下着、エプロン、スカーフ、ネクタイ、蝶ネクタイ、ソックス、手袋、帽子、水着、Ｔシャツ、ジャケット、ブルゾン、Ｙシャツ、ブラウス、スラックス、パンツ、ベスト、つなぎ服、コルセット、パンティ、ブラジャー、トランクス、バンダナ、三角布、宇宙服を含む。履物には、靴、雪駄、ブーツ、スニーカー、スリッパ、サンダルを含む。カバン・袋物には、カバン、バッグ、ウェストポーチアタッシュケース、ブリーフケース、ボストンバックを含む。身飾品には、液晶ディスプレイ、プラズマディスプレイ、発光ダイオード、電子ペーパー、ブレスレット、リストウォッチ、ネックレス、ブローチ、指輪を含む。織物には、タオル、テーブルクロス、ナフキン、ハンカチを含む。その他身の回り品には、ヘルメット、傘、ハチマキ、バンダナ、不織布、眼鏡、サングラス、マスク、眼帯、バッチ、ボタン、ワッペン、テープ、布地、生地、リボン、ネームプレート、たすき、肩章、腕章、携帯ストラップ、ネックホルダー、バルコニーテラス、テーブル、イス、ソファー、たたみ、ちゃぶ台、こたつ、タイル、天上、床、壁、照明機具、テーブルクロス、ランチョンマット、ナプキン、屋根、屋上、ディナーペーパー、トレーマット、トイレットペーパー、バナー、ファサード、看板、コースターバナー、のぼり、ひざ掛け、紙エプロン、メニュー表、レシート、パンフレット、ミラー、遊技台（パチスロ台、パチンコ台、ルーレット（台）、ゲーム機、ゲーム台、ダーツ（台）、ピンボール（台）、スロットマシーン、プリクラ、ゲームの景品）、窓ガラス、トランプ、箸、箸入れ、フォーク、スプーン、ストロー、ストロー袋、ショッピングバッグ、紙袋、玄関マット、ドア、カード、地図、ペットボトル容器（ラベルも含む）、コップ、皿、ボール、グラス、紙コップを含む。
【００１４】
又、物に広告を付加するとは、前記物に、広告内容を、特殊フィルム、シール、ステッカー、印刷、刺繍、ラベル、プリント、液晶ディスプレイ、電子ペーパー、プラズマディスプレイ、発光ダイオード、デジタル加工、転写加工染色、脱色、彫刻、パンチング等によって表記することである。
【００１５】
そしてその広告内容とは、企業名、団体名、チーム名、個人名、音楽作品名、映像作品名、出版物名、番組名、広告対象商品名（自動車、バイク、自転車等の乗り物、家電製品、飲料、食品、ビスケット、チョコレート、ガム等のお菓子を含む）情報、映像、企業・団体・チーム・個人のホームページアドレスや、Ｅメールアドレス、住所、電話番号等である。
【００１６】
また、広告依頼条件とは、広告付加物の着用、使用、展示、販売、貸与又は配布等の広告のみならず、ポスターの設置、カタログの設置、新製品の展示・サンプリング、イベントの実施等広く販促活動を意味する。
【発明の効果】
【００１７】
本発明によれば、広告依頼者は、希望の広告依頼条件で、人が身に付けたり使用したりして、動くという視覚的インパクトの強い広告依頼を行うことができ、且つ様々な対象物に広告を付加する事ができる為、より大きな広告効果が期待できる。一方、広告代理者は、広告を付ける物が例えば業務用ユニフォームであれば、業務経費を軽減することができ、且つ広告収入を得ることができる。また、広告を付ける物が、ステージ衣装等であれば、衣装代や、ステージの製作費等を軽減することができ、且つ広告収入を得ることができる。また、スポーツチームであれば、チームユニフォーム代やスポーツ用具費等を軽減することができ、且つ広告収入を得ることができる。また、広告を付ける物が店舗及び施設のバルコニーテラス、テーブル、イス、ソファー、たたみ、ちゃぶ台、こたつ、タイル、天上、床、壁、照明機具、テーブルクロス、ランチョンマット、ナプキン、屋根、屋上、ディナーペーパー、トレーマット、トイレットペーパー、バナー、ファサード、看板、コースターバナー、のぼり、ひざ掛け、紙エプロン、メニュー表、レシート、パンフレット、ミラー、遊技台（パチスロ台、パチンコ台、ルーレット（台）、ゲーム機、ゲーム台、ダーツ（台）、ピンボール（台）、スロットマシーン、プリクラ、ゲームの景品）、窓ガラス、トランプ、箸、箸入れ、フォーク、スプーン、ストロー、ストロー袋、ショッピングバッグ、紙袋、玄関マット、ドア、カード、地図、ペットボトル容器（ラベルも含む）、コップ、皿、ボール、グラス、紙コップ等であれば、その費用を軽減することができ、且つ広告収入を得ることができる。
【００１８】
本発明によれば、広告依頼者は簡単な操作によって希望する広告依頼条件を登録することができ、一方広告代理者は簡単な操作によって広告代理条件を登録することでき、更に該広告依頼者は簡単な操作によって登録された広告代理条件の情報を得ることができ、また該広告代理者は簡単な操作によって登録された広告依頼条件の情報を得ることができる。
【００１９】
本発明は広告媒体情報の情報処理システムであって、広告依頼者は、前記広告媒体情報仲介サーバに記憶されている広告代理条件について、所望する条件に合致する広告代理条件を検索することができる検索機能を備えることを特徴とする。
【００２０】
本発明によれば、広告依頼者は簡単な操作によって、希望する広告依頼条件の情報を効率良く得ることができる。
【００２１】
本発明は広告媒体情報の情報処理システムであって、広告代理者は、前記広告媒体情報仲介サーバに記憶されている広告依頼条件について、所望する条件に合
致する広告依頼条件を検索することができる検索機能を備えることを特徴とする。
【００２２】
本発明によれば、広告代理者は簡単な操作によって、希望する広告依頼条件の情報を効率良く得ることができる。
【００２３】
本発明は広告媒体情報の情報処理システムであって、広告依頼者は、前記広告媒体情報仲介サーバに記憶されている広告代理条件のうち、所望する条件に合致した広告代理条件を入力した広告代理者と、該システムを介して契約交渉又は契約手続をすることができる機能を備えることを特徴とする。
【００２４】
本発明によれば、広告依頼者は、希望する条件に合致した広告代理条件を入力した広告代理者と、簡単な操作で、且つタイムラグを少なく契約交渉又は契約手続を行うことができ、双方のビジネスを迅速に、スムーズに進めることができる。
【００２５】
本発明は広告媒体情報の情報処理システムであって、広告代理者は、前記広告媒体情報仲介サーバに記憶されている広告依頼条件のうち、所望する条件に合致した広告依頼条件を入力した広告依頼者と、該システムを介して契約交渉又は契約手続をすることができる機能を備えることを特徴とする。
【００２６】
本発明によれば、広告代理者は、希望する条件に合致した広告依頼条件を入力した広告依頼者と、簡単な操作で、且つタイムラグを少なく契約交渉又は契約手続を行うことができ、双方のビジネスを迅速に、スムーズに進めることができる。
【００２７】
本発明は広告媒体情報の情報処理システムであって、ネットワークを介して、広告依頼者の端末に対しては、広告依頼条件の入力を促す機能と、該入力情報を広告媒体情報仲介サーバに記憶する機能とを備える一方、広告付加物によって広告依頼者の代わりに広告を行う広告代理者の端末に対しては、広告代理条件の入力を促す機能と、該入力情報を広告媒体情報仲介サーバに記憶する機能とを備え、前記広告依頼者からの出力要求に応じて、前記広告媒体情報仲介サーバに記憶されている広告代理条件を出力する機能と、前記広告代理者からの出力要求に応じて、前記広告媒体情報仲介サーバに記憶されている広告依頼条件を出力する機能とを備えることを特徴とする。
【００２８】
本発明によれば、広告依頼者は簡単な操作によって希望広告依頼条件を登録することができ、一方広告代理者は簡単な操作によって広告代理条件を登録することができ、更に該広告依頼者は簡単な操作によって登録された広告代理条件の情報を得ることができ、また該広告代理者は簡単な操作によって登録された広告依頼条件の情報を得ることができる。更にネットワークを介すことにより、広告依頼者と、広告代理者は、より多くの対象の中から、タイムラグをより少なく、広告取引相手を選出する
ことが実現可能となり得る。
【００２９】
本発明は広告媒体情報の情報処理システムであって、広告依頼者と、広告代理者と、広告仲介者に対し、それぞれの識別ＩＤ及びパスワードの入力を促す機能と、入力された識別ＩＤ及びパスワードによって、情報の入力又は出力を許可するか否かを決定する機能とを備えることを特徴とする。
【００３０】
本発明によれば、広告依頼者、広告代理者、広告仲介者以外による情報の入力や、出力が制限されるので、該システムの安全性及び信頼性を高く保つことができる。
【００３１】
本発明は広告媒体情報の情報処理システムであって、前記広告依頼者による広告依頼条件は、広告対象や広告付加物による広告を行ってもらいたい人数、期間、立地、日時や広告掲出スペース及び広告が付加できる対象物等であり、一方前記広告代理者による広告代理条件は、広告付加物による広告を行うことができる人数、期間、立地、日時や広告掲出スペース及び広告が付加できる対象物等であることを特徴とする。
【００３２】
本発明によれば、広告依頼者は、広告を行いたい対象（商品や、情報や、企業や、団体等）等の広告内容と、広告付加物による広告を行ってもらいたい人数や、期間、立地、日時や広告掲出スペース及び広告が付加できる対象物等の広告条件を登録し、一方、広告付加物によって広告依頼者の代わりに広告を行う広告代理者は、広告付加物の着用及び使用若しくは展示若しくは販売若しくは貸与又は配布等、広告代理の実施が可能な人数や、期間、立地、日時や広告掲出スペース及び広告が付加できる対象物等の広告条件を登録し、広告依頼条件と、広告代理条件に基づいて広告依頼者及び広告代理者が合意をした場合には、該広告依頼者は該広告代理者に、広告付加物費用の一部又は全部と、広告費用を支払い、一方、該広告代理者は該広告付加物の着用及び使用若しくは展示若しくは販売若しくは貸与又は配布等をすることにより広告を行うことを特徴とする。尚、広告依頼者とは、広告代理店及びその者の商品情報・サービス、その者自身等に関して広告を行いたい者であり、個人、企業、商店、団体、大学等が含まれる。一方、広告代理者とは、広告依頼者の代わりに広告付加物の着用及び使用若しくは展示若しくは販売若しくは貸与又は配布等を行うものであり、個人、企業、商店、団体、大学等が含まれる。更に、広告付加物による広告とは、例えば、広告依頼者が飲料メーカーで、広告代理者がガソリンスタンドである場合、該ガソリンスタンドの従業員が、該飲料メーカーの商品である飲料の写真や、キャラクター、文字等が入ったユニフォームを着て業務を行うことにより、該ガソリンスタンドに来た客や、近くを通った人々等に対して広告効果がもたらされるものである。
【００３３】
本発明によれば、広告依頼者は、希望の広告依頼条件で、人が着て、あるいは使用して動くという視覚的インパクトの強い広告代理を行うことができ、且つ様々な対象物に広告を付加する事ができる為、より大きな広告効果が期待できる。一方、広告代理者は、広告を付ける対象が例えば業務用ユニフォームであれば、業務経費を軽減することができ、且つ広告収入を得ることができる。また、広告を付ける物が、ステージ衣装等であれば、衣装代や、ステージの製作費等を軽減することができ、且つ広告収入を得ることができる。また、スポーツチームであれば、チームユニフォーム代やスポーツ用具費等を軽減することができ、且つ広告収入を得ることができる。また、広告を付ける物が店舗及び施設のバルコニーテラス、テーブル、イス、ソファー、たたみ、ちゃぶ台、こたつ、タイル、天上、床、壁、照明機具、テーブルクロス、ランチョンマット、ナプキン、屋根、屋上、ディナーペーパー、トレーマット、トイレットペーパー、バナー、ファサード、看板、コースターバナー、のぼり、ひざ掛け、紙エプロン、メニュー表、レシート、パンフレット、ミラー、遊技台（パチスロ台、パチンコ台、ルーレット（台）、ゲーム機、ゲーム台、ダーツ（台）、ピンボール（台）、スロットマシーン、プリクラ、ゲームの景品、窓ガラス、トランプ、箸、箸入れ、フォーク、スプーン、ストロー、ストロー袋、ショッピングバッグ、紙袋、玄関マット、ドア、カード、地図、ペットボトル容器（ラベルも含む）、コップ、皿、ボール、グラス、紙コップ等であれば、その費用を軽減することができ、且つ広告収入を得ることができる。
【００３４】
本発明は広告媒体情報の情報処理システムであって、前記広告代理者が店舗・施設等である場合は、店舗及び施設データを構成する店舗及び施設の業種・業態や、利用客及び来場者の年令層・男女比率・年間又は月間の利用客数及び来場者数や、平均滞在時間等の情報であり、一方広告依頼者は、希望する広告依頼内容が告知したい人数・年令層・男女比率及び店舗・施設等の業種・業態等の幅広い条件の中から簡単な操作で検索でき、広告告知対象者が利用する店舗及び施設をピンポイントで選出でき、前記広告代理者を選定する事ができることを特徴とする。
【００３５】
本発明は広告媒体情報の情報処理システムであって、前記広告代理者がスポーツチーム等である場合は、競技日程、競技場への予定来場者数、テレビ中継、雑誌等の取材、新聞、ポスター等の露出予定を情報として登録することにより、前記広告依頼者は、広告付加物によって広告代理を行う広告代理者の競技予定を簡単な操作で検索でき、且つ、前記広告付加物の露出予定を考慮に入れて広告代理の依頼をすることができることを特徴とする。
【００３６】
本発明は広告媒体情報の情報処理システムであって、前記広告代理者が、モデル、ミュージシャン、アーティスト、タレント、芸能人、有名人等のいずれかの者である場合は、コンサート、トークショー、イベント、舞台、ファッションショー会場等への予定来場者数、テレビ中継、雑誌等の取材、新聞、ポスター等の露出予定を情報として登録することにより、前記広告依頼者は、広告付加物によって広告代理を行う広告代理者の出演予定を簡単な操作で検索でき、且つ、前記広告付加物の露出予定を考慮に入れて広告代理の依頼をすることができることを特徴とする。
【００３７】
本発明は広告媒体情報の情報処理システムであって、前記広告仲介者は、識別ＩＤ及びパスワードを自己の端末にて入力することにより前記広告媒体情報仲介サーバのシステムの利用を許可される機能と、前記広告依頼者及び広告代理者の操作と同じ操作を行うことができる機能と、更に前記広告依頼者及び広告代理者双方の契約交渉又は契約手続を仲介することができることを特徴とする。
【００３８】
本発明は広告媒体情報の情報処理システムであって、前記広告代理者による広告代理条件には、広告媒体情報の特性として少なくとも数値データ及び／又は画像ないし映像データを含むことを特徴とする。
【００３９】
本発明は広告媒体情報の情報処理システムであって、前記広告依頼者及び広告仲介者の端末において、前記広告代理者の契約状況を閲覧できる機能を備える一方、前記広告代理者及び広告仲介者の端末において、前記広告依頼者の契約状況を閲覧する機能を備えていることを特徴とする。
【００４０】
本発明は広告媒体情報の情報処理システムであって、前記広告依頼者より委託を受けた広告仲介者の端末において、広告依頼条件を変更又は削除できる機能を備える一方、前記広告代理者より委託を受けた広告仲介者の端末において、広告代理条件を変更又は削除できる機能を備えていることを特徴とする。
【００４１】
本発明は広告媒体情報の情報処理システムであって、前記広告依頼者が自己のホームページ及び／又は通信機器等を使用し、広告代理者を直接募集することができることを特徴とする。
【００４２】
本発明は広告媒体情報の情報処理システムであって、前記広告代理者が自己のホームページ及び／又は通信機器等を使用し、広告主を直接募集することができることを特徴とする。
【００４３】
本発明は広告媒体情報の情報処理システムであって、広告媒体情報の仲介を行うコンピュータシステムにおいて、広告依頼者は、広告依頼条件を登録し、一方、広告付加物によって広告依頼者の代わりに広告を行う広告代理者は、広告代理条件を登録し、前記広告依頼条件及び広告代理条件に基いて、前記広告依頼者及び広告代理者が合意をした場合には、広告依頼者は広告代理者に、広告付加物費用の一部又は全部と、広告費用を支払い、一方、広告代理者は広告付加物を身に付けたり、使用、展示、販売、貸与又は配布等をすることにより代理広告を行うことを特徴とする。
【００４４】
本発明は広告媒体情報の情報処理システムであって、広告媒体情報の仲介を行うコンピュータシステムにおいて、広告依頼者に対しては、広告依頼条件の入力を促す機能と、該入力情報を広告媒体情報仲介サーバに記憶する機能とを備える一方、広告付加物によって広告依頼者の代わりに広告を行う広告代理者に対しては、広告代理条件の入力を促す機能と、該入力情報を前記広告媒体情報仲介サーバに記憶する機能とを備え、前記広告依頼者からの出力要求に応じて、前記広告媒体情報仲介サーバに記憶されている広告代理条件を出力する機能と、前記広告代理者からの出力要求に応じて、前記広告媒体情報仲介サーバに記憶されている広告依頼条件を出力する機能とを備えることを特徴とする。
【００４５】
本発明は広告媒体情報の情報処理システムであって、広告媒体情報の仲介を行うコンピュータシステムにおいて、広告依頼者に対しては、広告を行いたい対象（商品や、情報や、企業や、団体等）等の広告内容と、広告付加物の着用及び使用若しくは展示若しくは販売若しくは貸与又は配布等、広告代理の実施が可能な人数や、期間、立地、日時や広告掲出スペース及び広告を付加したい対象物等の広告依頼条件の入力を促す機能と、該入力情報を記憶手段に記憶する機能とを備える一方、広告付加物によって広告依頼者の代わりに広告を行う広告代理者に対しては、広告付加物の着用及び使用若しくは展示若しくは販売若しくは貸与又は配布等、広告代理の実施が可能な人数や、期間、立地、日時や広告掲出スペース及び広告が付加できる対象物等の広告代理条件の入力を促す機能と、該入力情報を記憶手段に記憶する機能とを備え、該広告依頼者からの出力要求に応じて、該記憶手段に記憶されている広告代理条件を出力する機能と、該広告代理者からの出力要求に応じて、該記憶手段に記憶されている広告依頼条件を出力する機能とを備えることを特徴とする。
【００４６】
本発明によれば、広告依頼者は簡単な操作によって広告依頼条件を登録することができ、一方広告代理者は簡単な操作によって広告代理条件を登録することでき、更に該広告依頼者は簡単な操作によって登録された広告代理条件の情報を得ることができ、また該広告代理者は簡単な操作によって登録された広告依頼条件の情報を得ることができる。
【００４７】
本発明は広告媒体情報の情報処理システムであって、広告依頼者は、前記広告媒体情報仲介サーバに記憶されている広告代理条件について、所望する条件に合致する広告代理条件を検索することができる検索機能を備えることを特徴とする。
【００４８】
本発明によれば、広告依頼者は簡単な操作によって、希望する広告依頼条件の情報を効率良く得ることができる。
【００４９】
本発明は広告媒体情報の情報処理システムであって、広告代理者は、前記広告媒体情報仲介サーバに記憶されている広告依頼条件について、所望する条件に合致する広告依頼条件を検索することができる検索機能を備えることを特徴とする。
【００５０】
本発明によれば、広告代理者は簡単な操作によって、希望する広告依頼条件の情報を効率良く得ることができる。
【００５１】
本発明は広告媒体情報の情報処理システムであって、広告依頼者は、前記広告媒体情報仲介サーバに記憶されている広告代理条件のうち、希望する条件に合致した広告代理条件を入力した広告代理者と、該システムを介して契約交渉又は契約手続をすることができる機能を備えることを特徴とする。
【００５２】
本発明によれば、広告依頼者は、希望する条件に合致した広告代理条件を入力した広告代理者と、簡単な操作で、且つタイムラグを少なく契約交渉又は契約手続を行うことができ、双方のビジネスを迅速に、スムーズに進めることができる。
【００５３】
本発明は広告媒体情報の情報処理システムであって、広告代理者は、前記広告媒体情報仲介サーバに記憶されている広告依頼条件のうち、希望する条件に合致した広告依頼条件を入力した広告依頼者と、該システムを介して契約交渉又は契約手続をすることができる機能を備えることを特徴とする。
【００５４】
本発明によれば、広告代理者は、希望する条件に合致した広告依頼条件を入力した広告依頼者と、簡単な操作で、且つタイムラグを少なく契約交渉又は契約手続を行うことができ、双方のビジネスを迅速に、スムーズに進めることができる。
【００５５】
本発明は広告媒体情報の情報処理システムであって、ネットワークを介して、広告依頼者の端末に対しては、広告依頼条件の入力を促す機能と、該入力情報を広告媒体情報仲介サーバに記憶する機能とを備える一方、広告付加物によって広告依頼者の代わりに広告を行う広告代理者の端末に対しては、広告代理条件の入力を促す機能と、該入力情報を広告媒体情報仲介サーバに記憶する機能とを備え、該広告依頼者からの出力要求に応じて、該広告媒体情報仲介サーバに記憶されている広告代理条件を出力する機能と、該広告代理者からの出力要求に応じて、該広告媒体情報仲介サーバに記憶されている広告依頼条件を出力する機能とを備えることを特徴とする。
【００５６】
本発明によれば、広告依頼者は簡単な操作によって希望広告依頼条件を登録することができ、一方広告代理者は簡単な操作によって広告代理条件を登録することでき、更に該広告依頼者は簡単な操作によって登録された広告代理条件の情報を得ることができ、また該広告代理者は簡単な操作によって登録された広告依頼条件の情報を得ることができる。更にネットワークを介すことにより、広告依頼者と、広告代理者は、より多くの対象の中から、タイムラグをより少なく、広告取引相手を選出することが実現可能となり得る。
【００５７】
本発明は広告媒体情報の情報処理システムであって、広告依頼者と、広告代理者と、広告仲介者に対し、それぞれの該識別ＩＤ及びパスワードの入力を促す機能と、入力された識別ＩＤ及びパスワードによって、情報の入力又は出力を許可するか否かを決定する機能とを備えることを特徴とする。
【００５８】
本発明によれば、広告依頼者、広告代理者、広告仲介者以外による情報の入力や、出力が制限されるので、該システムの安全性及び信頼性を高く保つことができる。
【００５９】
本発明は広告媒体情報の情報処理システムであって、前記広告付加物が特殊フィルム、シール、ステッカー、印刷、刺繍、ラベル、プリント、液晶ディスプレイ、電子ペーパー、プラズマディスプレイ、発光ダイオード、デジタル加工、転写加工、染色、脱色、彫刻、パンチング等によって表示されていることを特徴とする。
【発明を実施するための最良の形態】
【００６０】
本発明の実施形態は、広告仲介者が管理する広告の情報処理を行なう広告媒体情報仲介サーバを備え、該サーバ上に、ネットワークを介して広告代理の仲介を行うシステムとするものである。該システムでは、広告依頼者は、該広告仲介者と所定の契約を結んだ後得た識別ＩＤ及びパスワードを端末にて入力すると該システムの利用を許可される機能と、該広告依頼者の端末に対して広告依頼条件の入力を促す機能と、該入力情報を記憶手段に記憶する機能とを備え、該広告依頼者からの出力要求に応じて、該記憶手段に記憶されている広告代理条件を出力する機能と、広告依頼者が、前記記憶手段に記憶されている広告代理条件について、所望する条件に合致する広告代理条件を検索することができる検索機能と、広告依頼者は、前記記憶手段に記憶されている広告代理条件のうち、所望する条件に合致した広告代理条件を入力した広告代理者と、該システムを介して契約交渉又は契約手続をすることができる機能を備える。
【００６１】
一方、広告付加物を身に付けたり、使用、展示、販売、貸与又は配布等を実施することによって広告依頼者の代わりに広告を行う広告代理者が、該広告仲介者と所定の契約を結んだ後得た識別ＩＤ及びパスワードを端末にて入力すると該システムの利用を許可する機能と、該広告代理者の端末に対しては、広告代理条件の入力を促す機能と、該入力情報を記憶手段に記憶する機能とを備え、該広告代理者からの出力要求に応じて、該記憶手段に記憶されている広告依頼条件を出力する機能と、広告代理者が、前記記憶手段に記憶されている広告依頼条件について、所望する条件に合致する広告依頼条件を検索することができる検索機能と、広告代理者は、前記記憶手段に記憶されている広告依頼条件のうち、所望する条件に合致した広告依頼条件を入力した広告依頼者と、該システムを介して契約交渉又は契約手続をすることができる機能を備える。
【００６２】
また、広告仲介者が、識別ＩＤ及びパスワードを端末にて入力することにより該システムの利用を許可する機能と、上述した広告依頼者及び広告代理者の動作と同じ動作を行うことができる機能と、更に広告依頼者及び広告代理者の契約交渉又は契約手続を仲介することができる機能を備える。なお、広告依頼者とは、広告主より依頼を受けた広告代理店等も含まれる。
【００６３】
広告代理者とは、人間のみならず、人間が飼っている動物類・昆虫類・爬虫類・鳥類・チョウ類・サル類等に広告付加物を着用、使用、貼付したり、又は広告付加物を着用、使用、貼付して、展示及び販売することも含む。
【実施例】
【００６４】
本発明における一実施形態について図面に基づいて説明する。図１は、本実施形態の構成を示すブロック図である。この図において、符号１はサーバであり、経路制御装置、電話回線を経由してインターネットＮＥＴに接続されている。符号２は広告依頼者の端末であり、符号３は広告代理者の端末であり、符号４は広告仲介者の端末であり、共にサーバ１と同様にしてインターネットＮＥＴに接続される。ここで、端末２、３、４は、それぞれＣＲＴやＬＣＤ等の表示部とともに、キーボード、マウス等の入力部を有する。また、通常広告依頼者や広告代理者は複数存在し、広告依頼者の端末や広告代理者の端末も複数存在するが、説明の便宜上それぞれ１台ずつとする。
【００６５】
次に、サーバ１の詳細構成について説明する。図２は、サーバ１の構成を示すブロック図である。この図において、符号１０は制御手段であり、ＣＰＵ等から構成され、各部の制御や、データの転送、種々の演算、データの一時的な格納等を行なう。符号１１は入力制御手段であり、インターネットＮＥＴを介して接続された端末から入力されるデータを制御する。符号１２は出力制御手段であり、端末に出力されるデータを制御する。符号１３〜１５はいずれも記憶手段であり、それぞれ以下のファイルが格納、記憶されている。
【００６６】
まず、記憶手段１３には、メインプログラムが記憶されている。かかるメインプログラムは、制御手段１０において用いられるものであり、例えば、端末の表示部に入力画面を表示させるプログラムや、条件検索により必要な情報を得るための検索用プログラム等から構成される。
【００６７】
記憶手段１４には、広告依頼者ファイルが記憶されている。かかる広告依頼者ファイルは、広告依頼番号毎に作成されるものであり、広告依頼者に関する情報や、広告依頼者が端末２から入力した広告対象に関する情報や、広告依頼条件の情報等から構成されている。
【００６８】
記憶手段１５には、広告代理者ファイルが記憶されている。かかる広告代理者ファイルは、広告代理番号毎に作成されるものであり、広告代理者に関する情報や、広告代理者が端末３から入力した広告代理条件の情報等から構成されている。
【００６９】
次に、本実施形態の動作について説明する。ここで、端末２、３、４は、それぞれサーバ１と接続されて通信を行ない、サーバ１に端末２、３，４が接続されると、制御手段１０は、この接続を入力制御手段１１を介して検知し、メインプログラムにしたがって端末２、３、４を制御する。
【００７０】
広告依頼者：登録
まず広告依頼者の登録動作を説明する。図３は広告依頼者の登録動作を示すフローチャートである。端末２において、所定のＵＲＬを指定すると、図３に示したＳａ１画面のメニュー画面が表示される。ここで符号Ｓａ２の広告依頼者用メニューボタンを押すと、Ｓａ５画面の広告依頼者用メニュー画面が表示される。ここで、新規に広告依頼条件を登録する場合には、符号Ｓａ６のチェックボタンを押し、符号Ｓａ１２に、所定の契約を結んだ後得た、識別ＩＤを入力し、符号Ｓａ１３にはパスワードを入力し、符号Ｓａ１４のログインボタンを押すと、Ｓａ１５ステップに進み、該識別ＩＤ及び該パスワードが正しいかどうかの判定が行われる。該識別ＩＤ及び該パスワードが正しくなければ、Ｓａ１６画面に進み、エラー通知がなされる。該識別ＩＤ及び該パスワードが正しければ、Ｓａ１７画面に進み、図５のような画面が表示される。ここで、例えば符号Ｓａ１６０には広告依頼者名を入力し、符号Ｓａ１６１には業種を入力し、符号Ｓａ１６２には希望広告商品を入力し、符号Ｓａ１６２ａには該希望広告商品の画像データを入力し、符号Ｓａ１６３にはその商品の名前を入力する。符号Ｓａ１６３ａは、その商品の名前を表示するか否かをプルダウン形式で選択できる。ここで表示ＯＫを選択すると、該データが登録された後、広告依頼条件閲覧画面や、広告依頼条件検索画面等にて表示される際には、該商品名が表示され、表示ＮＯを選択すると、該データが登録された後、広告依頼条件閲覧画面や、広告依頼条件検索画面等にて表示される際には、該商品名が表示されない。符号Ｓａ１６４には広告ターゲットを入力し、符号Ｓａ１６５には広告ターゲットのうちのコアターゲットを入力し、符号Ｓａ１６６には希望広告期間を入力し、符号Ｓａ１６７には広告希望エリアを入力し、符号Ｓａ１６８には広告予算を入力し、符号Ｓａ１６９には担当者名を入力し、符号Ｓａ１７０には該担当者の部署を入力し、符号Ｓａ１７１には該担当者の部署の電話番号を入力し、符号Ｓａ１７２には広告依頼者の所在地を入力する。必要事項を入力し終わったら、符号Ｓａ１８の登録ボタンを押すと、Ｓａ１９ステップに進み、該入力データが広告媒体情報仲介サーバ１の広告依頼者ファイル１４に記憶され、広告依頼番号が付与される。その後、Ｓａ２０画面に進み、登録完了通知及び該広告依頼番号通知がなされる。
【００７１】
広告依頼者：修正
Ｓａ５画面で、登録済みの広告依頼条件を修正する場合には、符号Ｓａ７のチェックボタンを押し、符号Ｓａ１１に修正する広告依頼条件を最初に登録完了した後通知された広告依頼番号を入力し、符号Ｓａ１２に、所定の契約を結んだ後得た、識別ＩＤを入力し、符号Ｓａ１３にはパスワードを入力し、符号Ｓａ１４のログインボタンを押すと、Ｓａ２１ステップに進み、該識別ＩＤ及び該パスワードが正しいかどうかの判定が行われる。該識別ＩＤ及び該パスワードが正しくなければ、Ｓａ１６画面に進み、エラー通知がなされる。該識別ＩＤ及び該パスワードが正しければ、Ｓａ２２画面に進み、広告媒体情報仲介サーバ１の広告依頼者ファイル１４に記憶されている該広告依頼番号のデータが読み出され、図６のような画面にて該データ及び該番号が表示される。ここで、符号Ｓａ１６０〜Ｓａ１７２のうち修正したい箇所に修正内容を入力し、符号Ｓａ２３の修正ボタンを押すと、Ｓａ２５ステップに進み広告媒体情報仲介サーバ１の広告依頼者ファイル１４に記憶されている該広告依頼番号のデータが、該入力データに基づき更新される。その後、Ｓａ２６画面に進み、修正完了通知がなされる。
【００７２】
広告依頼者：削除
Ｓａ５画面で、登録済みの広告依頼条件を削除する場合には、符号Ｓａ７のチェックボタンを押し、符号Ｓａ１１に削除する広告依頼条件を最初に登録完了した後通知された広告依頼番号を入力し、符号Ｓａ１２に、所定の契約を結んだ後得た、識別ＩＤを入力し、符号Ｓａ１３にはパスワードを入力し、符号Ｓａ１４のログインボタンを押すと、Ｓａ２１ステップに進み、該識別ＩＤ及び該パスワードが正しいかどうかの判定が行われる。該識別ＩＤ及び該パスワードが正しくなければ、Ｓａ１６画面に進み、エラー通知がなされる。該識別ＩＤ及び該パスワードが正しければ、Ｓａ２２画面に進み、広告媒体情報仲介サーバ１の広告依頼者ファイル１４に記憶されている該広告依頼番号のデータが読み出され、図６のような画面にて該データ及び該番号が表示される。ここで、符号Ｓａ１７３の入力ＢＯＸに、広告依頼条件を削除する、即ち広告を中止する理由を、「１」〜「１０」の理由サインの中から選んで入力した後、符号Ｓａ２４の削除ボタンを押すと、Ｓａ２７ステップに進み広告仲介者サーバ１の広告依頼者ファイル１４に記憶されている該広告依頼番号のデータに、削除フラグが付与される。その後、Ｓａ２８画面に進み、削除準備完了通知がなされる。
【００７３】
広告依頼者：広告依頼条件の閲覧
Ｓａ５画面で、登録済みの広告依頼条件を閲覧する場合には、符号Ｓａ８のチェックボタンを押し、符号Ｓａ１１に閲覧したい広告依頼条件を最初に登録完了した後通知された広告依頼番号を入力し、符号Ｓａ１２に、所定の契約を結んだ後得た、識別ＩＤを入力し、符号Ｓａ１３にはパスワードを入力し、符号Ｓａ１４のログインボタンを押すと、Ｓａ２９ステップに進み、該識別ＩＤ及び該パスワードが正しいかどうかの判定が行われる。該識別ＩＤ及び該パスワードが正しくなければ、Ｓａ３０画面に進み、エラー通知がなされる。該識別ＩＤ及び該パスワードが正しければ、Ｓａ３１画面に進み、広告媒体情報仲介サーバ１の広告依頼者ファイル１４に記憶されている該広告依頼番号のデータが読み出され、図７のような画面にて該データ及び該番号が表示される。このとき、表示される該広告依頼条件のデータの出力項目は、入力された全ての項目を出力するのではなく、情報の機密性を保つ為、一部出力項目を制限しても良い。
【００７４】
広告依頼者：広告代理条件の閲覧
Ｓａ５画面で、広告依頼者が登録済みの広告代理条件を閲覧する場合には、符号Ｓａ９の広告代理条件閲覧のチェックボタンを押し、符号Ｓａ１２に、所定の契約を結んだ後得た、識別ＩＤを入力し、符号Ｓａ１３にはパスワードを入力し、符号Ｓａ１４のログインボタンを押すと、Ｓａ３２ステップに進み、該識別ＩＤ及び該パスワードが正しいかどうかの判定が行われる。該識別ＩＤ及び該パスワードが正しくなければ、Ｓａ３０画面に進み、エラー通知がなされる。該識別ＩＤ及び該パスワードが正しければ、図４のＳｂ１画面に進む。ここで、広告代理条件の一覧を閲覧する場合は、符号Ｓｂ２のチェックボタンを押し、符号Ｓｂ４の次へボタンを押すと、広告媒体情報仲介サーバ１の広告代理者ファイル１５に記憶されている広告代理条件のデータが全て出力され、図８に示すように一件毎に、広告代理番号と共に表示される。ここで、符号Ｓｂ５０の前ページボタンを押すと、前データが表示され、符号Ｓｂ５１の次ページボタンを押すと、次データが表示される。尚、該広告内容のうち、店舗写真や、従業員数、所在地、営業時間等の店舗情報については、リンクが張られた所定のホームページＵＲＬにアクセスすることにより、該ホームページ上に掲載されている該店舗情報を確認できるようにしても良い。
【００７５】
広告依頼者：広告代理条件検索
Ｓｂ１画面で広告代理条件の検索をする場合は、符号Ｓｂ３の広告代理条件検索のチェックボタンを押し、符号Ｓｂ４の次へボタンを押すと、Ｓｂ６画面に進み、図９のような検索画面が表示される。ここで例えば、符号Ｓｂ６０の業種や、符号Ｓｂ６１の広告付加対象及び数量や、符号Ｓｂ６２の営業時間等の検索条件を任意に入力し、符号Ｓｂ７の検索ボタンを押すと、Ｓｂ８画面に進み、広告媒体情報仲介サーバ１の広告代理者ファイル１５に記憶されている広告代理条件のデータのうち、該検索条件の各検索項目毎に文字列検索又は数検索を行い、一致するデータがあれば全て出力され、図８に示すように一件毎に、広告代理番号と共に表示される。ここで、符号Ｓｂ５０の前ページボタンを押すと、前データが表示され、符号Ｓｂ５１の次ページボタンを押すと、次データが表示される。
【００７６】
広告依頼者：広告代理条件への応募
そして、広告依頼者が登録済みの広告代理条件の中から、希望する条件の広告代理者と契約交渉の応募をする場合の動作について説明する。図３に示したＳａ５画面で、符号Ｓａ１０の広告代理条件応募のチェックボタンを押し、符号Ｓａ１２に、所定の契約を結んだ後得た、識別ＩＤを入力し、符号Ｓａ１３にはパスワードを入力し、符号Ｓａ１４のログインボタンを押すと、Ｓａ３３ステップに進み、該識別ＩＤ及び該パスワードが正しいかどうかの判定が行われる。該識別ＩＤ及び該パスワードが正しくなければ、Ｓａ３４画面に進み、エラー通知がなされる。該識別ＩＤ及び該パスワードが正しければ、図１０のＳｃ１画面に進む。ここで、符号Ｓｃ１０に、広告依頼者自身の、契約交渉対象の広告依頼条件の広告依頼番号を入力し、符号Ｓｃ１１に、希望する広告代理番号を入力する。そして、符号Ｓｃ２のＯＫボタンを押すと、広告媒体情報仲介サーバ１の広告依頼者ファイル１４に記憶されている該広告依頼番号のデータに、応募フラグが付与され、更に入力された広告代理番号が付与される。
【００７７】
広告代理者：登録
次に広告代理者の登録動作を説明する。図１１は広告代理者の登録動作を示すフローチャートである。端末３において、所定のＵＲＬを指定すると、図３に示したＳａ１画面のメニュー画面が表示される。ここで符号Ｓａ３の広告代理者用メニューボタンを押すと、図１１のＳｄ１画面の広告代理者用メニュー画面が表示される。ここで、新規に広告代理条件を登録する場合には、符号Ｓｄ２のチェックボタンを押し、符号Ｓｄ８に、所定の契約を結んだ後得た、識別ＩＤを入力し、符号Ｓｄ９にはパスワードを入力し、符号Ｓｄ１０のログインボタンを押すと、Ｓｄ１１ステップに進み、該識別ＩＤ及び該パスワードが正しいかどうかの判定が行われる。該識別ＩＤ及び該パスワードが正しくなければ、Ｓｄ１２画面に進み、エラー通知がなされる。該識別ＩＤ及び該パスワードが正しければ、Ｓｄ１３画面に進み、図１３のような画面が表示される。ここで、例えば符号Ｓｄ１１０には広告代理者名を入力し、符号Ｓｄ１１１には業種を入力し、符号Ｓｄ１１２には広告付加対象及び数量を入力し、符号Ｓｄ１１３には該着用対象者の詳細な構成を表形式で入力し、符号Ｓｄ１１４には店舗数を入力し、符号Ｓｄ１１５には、平日の平均来店者数を入力し、符号Ｓｄ１１６には休日の平均来店者数を入力し、符号Ｓｄ１１７には該来店者の詳細な構成を表形式で入力し、符号Ｓｄ１１８には営業時間を入力し、符号Ｓｄ１１９には立地を入力し、符号Ｓｄ１２０には希望条件を入力し、更に該店舗の外観・内観写真等があれば、符号Ｓｄ１２１にその画像データを入力する。オプション項目として、ポスターの掲出、パンフレット類、カタログ、リーフレット、チラシ等の設置、サンプリング（試供品の配布）、映像の放映、音楽の放送、アナウンスによる告知・説明、キャンペーン商品の販売、予約受け付け商品等の展示、場所の提供（店頭・店内の一部・駐車場等）、イベント開催の協力等がある。必要事項を入力し終わったら、符号Ｓｄ１４の登録ボタンを押すと、Ｓｄ１５ステップに進み、該入力データが広告媒体情報仲介サーバ１の広告代理者ファイル１５に記憶され、広告代理番号が付与される。その後、Ｓｄ１６画面に進み、登録完了通知及び該広告代理番号通知がなされる。尚、広告代理者が独自にサーバを備えて又プロバイダー等からサーバの一部を借りて、インターネットＮＥＴ上に、ホームページを開設し、そこで、店舗写真や、従業員数、所在地、営業時間等の店舗情報を掲載している場合等は、該ホームページＵＲＬのリンクを張ることにより、該店舗情報の登録を割愛することができるようにしても良い。
【００７８】
広告代理者：修正
Ｓｄ１画面で、登録済みの広告代理条件を修正する場合には、符号Ｓｄ３のチェックボタンを押し、符号Ｓｄ７に修正したい広告代理条件を最初に登録完了した後通知された広告代理番号を入力し、符号Ｓｄ８に、所定の契約を結んだ後得た、識別ＩＤを入力し、符号Ｓｄ９にはパスワードを入力し、符号Ｓｄ１０のログインボタンを押すと、Ｓｄ１７ステップに進み、該識別ＩＤ及び該パスワードが正しいかどうかの判定が行われる。該識別ＩＤ及び該パスワードが正しくなければ、Ｓｄ１２画面に進み、エラー通知がなされる。該識別ＩＤ及び該パスワードが正しければ、Ｓｄ１８画面に進み、広告媒体情報仲介サーバ１の広告代理者ファイル１５に記憶されている該広告代理番号のデータが読み出され、図１４のような画面にて該データ及び該番号が表示される。ここで、修正を行う場合には、符号Ｓｄ１１０〜Ｓｄ１２３のうち修正したい箇所に修正内容を入力し、符号Ｓｄ１９の修正ボタンを押すと、Ｓｄ２１ステップに進み広告媒体情報仲介サーバ１の広告代理者ファイル１５に記憶されている該広告代理番号のデータが、該入力データに基づき更新される。その後、Ｓｄ２２画面に進み、修正完了通知がなされる。
【００７９】
広告代理者：削除
Ｓｄ１画面で、登録済みの広告代理条件を修正する場合には、符号Ｓｄ３のチェックボタンを押し、符号Ｓｄ７に削除したい広告代理条件を最初に登録完了した後通知された広告代理番号を入力し、符号Ｓｄ８に、所定の契約を結んだ後得た、識別ＩＤを入力し、符号Ｓｄ９にはパスワードを入力し、符号Ｓｄ１０のログインボタンを押すと、Ｓｄ１７ステップに進み、該識別ＩＤ及び該パスワードが正しいかどうかの判定が行われる。該識別ＩＤ及び該パスワードが正しくなければ、Ｓｄ１２画面に進み、エラー通知がなされる。該識別ＩＤ及び該パスワードが正しければ、Ｓｄ１８画面に進み、広告仲介者サーバ１の広告代理者ファイル１５に記憶されている該広告代理番号のデータが読み出され、図１４のような画面にて該データ及び該番号が表示される。ここで、符号Ｓｄ１２２の入力ＢＯＸに、広告代理条件を削除する、即ち広告代理を中止する理由を、「１」〜「１０」の理由サインの中から選んで入力した後、符号Ｓｄ２０の削除ボタンを押すと、Ｓｄ２３ステップに進み広告媒体情報仲介サーバ１の広告代理者ファイル１５に記憶されている該広告代理番号のデータに、削除フラグが付与される。その後、Ｓｄ２４画面に進み、削除準備完了通知がなされる。
【００８０】
広告代理者：広告代理条件の閲覧
Ｓｄ１画面で、登録済みの広告代理条件を閲覧する場合には、符号Ｓｄ４のチェックボタンを押し、符号Ｓｄ７に閲覧したい広告代理条件を最初に登録完了した後通知された広告代理番号を入力し、符号Ｓｄ８に、所定の契約を結んだ後得た、識別ＩＤを入力し、符号Ｓｄ９にはパスワードを入力し、符号Ｓｄ１０のログインボタンを押すと、Ｓｄ２５ステップに進み、該識別ＩＤ及び該パスワードが正しいかどうかの判定が行われる。該識別ＩＤ及び該パスワードが正しくなければ、Ｓｄ２６画面に進み、エラー通知がなされる。該識別ＩＤ及び該パスワードが正しければ、Ｓｄ２７画面に進み、広告媒体情報仲介サーバ１の広告代理者ファイル１５に記憶されている該広告代理番号のデータが読み出され、図１５のような画面にて該データ及び該番号が表示される。尚、該広告内容のうち、店舗写真や、従業員数、所在地、営業時間等の店舗情報については、リンクが張られた所定のホームページＵＲＬにアクセスすることにより、該ホームページ上に掲載されている該店舗情報を確認できるようにしても良い。
【００８１】
広告代理者：広告依頼条件の閲覧
Ｓｄ１画面で、広告代理者が登録済みの広告依頼条件を閲覧する場合には、符号Ｓｄ５の広告依頼条件閲覧のチェックボタンを押し、符号Ｓｄ８に、所定の契約を結んだ後得た、識別ＩＤを入力し、符号Ｓｄ９にはパスワードを入力し、符号Ｓｄ１０のログインボタンを押すと、Ｓｄ２８ステップに進み、該識別ＩＤ及び該パスワードが正しいかどうかの判定が行われる。該識別ＩＤ及び該パスワードが正しくなければ、Ｓｄ２６画面に進み、エラー通知がなされる。該識別ＩＤ及び該パスワードが正しければ、図１２のＳｅ１画面に進む。ここで、広告依頼条件の一覧を閲覧する場合は、符号Ｓｅ２のチェックボタンを押し、符号Ｓｅ４の次へボタンを押すと、広告媒体情報仲介サーバ１の広告依頼者ファイル１４に記憶されている広告依頼条件のデータが全て出力され、図１６に示すように一件毎に、広告依頼番号と共に表示される。ここで、符号Ｓｅ５０の前ページボタンを押すと、前データが表示され、符号Ｓｅ５１の次ページボタンを押すと、次データが表示される。このとき、表示される該広告依頼条件のデータの出力項目は、入力された全ての項目を出力するのではなく、情報の機密性を保つ為、一部出力項目を制限しても良い。
【００８２】
広告代理者：広告依頼条件検索
Ｓｅ１画面で広告依頼条件の検索をする場合は、符号Ｓｅ３のチェックボタンを押し、符号Ｓｅ４の次へボタンを押すと、Ｓｅ６画面に進み、図１７のような検索画面が表示される。ここで例えば、符号Ｓｅ６０の業種や、符号Ｓｅ６１の広告ターゲットや、符号Ｓｅ６２の広告希望エリア等の検索条件を任意に入力し、符号Ｓｅ７の検索ボタンを押すと、Ｓｅ８画面に進み、広告媒体情報仲介サーバ１の広告依頼者ファイル１４に記憶されている広告依頼条件のデータのうち、該検索条件の各検索項目毎に文字列検索又は数検索を行い、一致するデータがあれば全て出力され、図１６に示すように一件毎に、広告依頼番号と共に表示される。ここで、符号Ｓｅ５０の前ページボタンを押すと、前データが表示され、符号Ｓｅ５１の次ページボタンを押すと、次データが表示される。このとき、表示される該広告依頼条件のデータの出力項目は、入力された全ての項目を出力するのではなく、情報の機密性を保つ為、一部出力項目を制限しても良い。
【００８３】
広告代理者：広告依頼条件の応募
そして、広告代理者が登録済みの広告依頼条件の中から、希望する条件の広告依頼者と契約交渉の応募をする場合の動作について説明する。Ｓｄ１画面で、符号Ｓｄ６の広告代理条件応募のチェックボタンを押し、符号Ｓｄ８に、所定の契約を結んだ後得た、識別ＩＤを入力し、符号Ｓｄ９にはパスワードを入力し、符号Ｓｄ１０のログインボタンを押すと、Ｓｄ２９ステップに進み、該識別ＩＤ及び該パスワードが正しいかどうかの判定が行われる。該識別ＩＤ及び該パスワードが正しくなければ、Ｓｄ３１画面に進み、エラー通知がなされる。該識別ＩＤ及び該パスワードが正しければ、図１８のＳｆ１画面に進む。ここで、符号Ｓｆ１０に、広告代理者自身の、契約交渉対象の広告代理条件の広告代理番号を入力し、符号Ｓｆ１１に、希望する広告依頼番号を入力する。そして、符号Ｓｆ２のＯＫボタンを押すと、広告媒体情報仲介サーバ１の広告代理者ファイル１５に記憶されている該広告代理番号のデータに、応募フラグが付与され、更に入力された広告依頼番号が付与される。
【００８４】
広告仲介者：メニュー
次に広告仲介者の動作について説明する。端末３において、所定のＵＲＬを指定すると、図３に示したＳａ１画面のメニュー画面が表示される。ここで符号Ｓａ４の広告仲介者用メニューボタンを押すと、図１９のＳｇ１画面の広告仲介者用メニュー画面が表示される。ここでは、広告依頼者の広告依頼条件のデータの登録、修正、削除を行うことができ、また登録済の広告依頼条件のデータを閲覧することができる広告依頼条件メニューと、広告代理者の広告代理条件の登録、修正、削除を行うことができ、また登録済の広告代理条件のデータを閲覧することができる広告代理条件メニューと、削除フラグの付与された、広告依頼者又は広告代理者のデータの閲覧・削除ができるメニューと、応募した又は応募された広告依頼者又は広告代理者のデータの閲覧ができるメニューのいずれかを選択する。
【００８５】
広告仲介者：広告依頼条件メニュー
Ｓｇ１画面で、広告依頼条件メニューを選択する場合、符号Ｓｇ２の広告依頼条件メニューのチェックボタンを押し、符号Ｓｇ６に、広告仲介者用の識別ＩＤを入力し、符号Ｓｇ７にはパスワードを入力し、符号Ｓｇ８のログインボタンを押すと、Ｓｇ９ステップに進み、該識別ＩＤ及び該パスワードが正しいかどうかの判定が行われる。該識別ＩＤ及び該パスワードが正しくなければ、Ｓｇ１０画面に進み、エラー通知がなされる。該識別ＩＤ及び該パスワードが正しければ、Ｓｇ１１画面に進み、広告依頼条件メニュー画面が表示される。
【００８６】
広告仲介者：広告依頼条件メニュー：登録
ここで、新規に広告依頼条件を登録する場合には、符号Ｓｇ１２のチェックボタンを押し、符号Ｓｇ１８の次へボタンを押すと、図３のＳａ１７画面へ進む。以降の動作は上述の通りである。
【００８７】
広告仲介者：広告依頼条件メニュー：修正又は削除
Ｓｇ１１画面で登録済の広告依頼条件を修正又は削除する場合には、符号Ｓｇ１３のチェックボタンを押し、符号Ｓｇ１７に修正又は削除したい広告内容・条件を最初に登録完了した後通知された広告依頼番号を入力し、符号Ｓｇ１８の次へボタンを押すと、図３のＳａ２２ステップへ進む。以降の動作は上述の通りである。更に、広告依頼者が最初に入力を行った広告依頼条件を、広告仲介者が修正又は削除する場合には、予め登録した該広告依頼者のメールアドレスへ、該修正内容又は削除内容を送信するようにしても良い。
【００８８】
広告仲介者：広告依頼条件メニュー：広告依頼条件の閲覧
Ｓｇ１１画面で登録済の広告依頼条件を閲覧する場合には、符号Ｓｇ１４のチェックボタンを押し、符号Ｓｇ１７に閲覧したい広告依頼条件を最初に登録完了した後通知された広告依頼番号を入力し、符号Ｓｇ１８の次へボタンを押すと、図３のＳａ３１ステップへ進む。以降の動作は上述の通りである。なお、広告仲介者メニューから広告依頼条件を閲覧する場合は、表示される該広告内容・条件のデータの出力項目は、入力された全ての項目が出力されるようにしても良い。
【００８９】
広告仲介者：広告依頼条件メニュー：広告依頼条件の一覧閲覧
Ｓｇ１１画面で登録済の広告依頼条件の一覧を閲覧する場合には、符号Ｓｇ１５のチェックボタンを押し、符号Ｓｇ１８の次へボタンを押すと、Ｓｇ１９画面に進み、広告媒体情報仲介サーバ１の広告依頼者ファイル１４に記憶されている広告依頼条件のデータが全て出力され、図１６に示すように一件毎に表示される。ここで、符号Ｓｅ５０の前ページボタンを押すと、前データが表示され、符号Ｓｅ５１の次ページボタンを押すと、次データが表示される。なお、広告仲介者メニューから広告依頼条件を一覧閲覧する場合は、表示される該広告依頼条件のデータの出力項目は、入力された全ての項目が出力されるようにしても良い。
【００９０】
広告仲介者：広告依頼条件メニュー：広告依頼条件検索
Ｓｇ１１画面で登録済の広告依頼条件の検索をする場合には、符号Ｓｇ１６のチェックボタンを押し、符号Ｓｇ１８の次へボタンを押すと、Ｓｇ２０画面に進み、図１７のような検索画面が表示される。ここで例えば、符号Ｓｅ６０の業種や、符号Ｓｅ６１の広告ターゲットや、符号Ｓｅ６２の広告希望エリア等の検索条件を任意に入力し、符号Ｓｅ７の検索ボタンを押すと、Ｓｇ２２画面に進み、広告媒体情報仲介サーバ１の広告依頼者ファイル１４に記憶されている広告依頼条件のデータのうち、該検索条件の各検索項目毎に文字列検索又は数検索を行い、一致するデータがあれば全て出力され、図１６に示すように一件毎に、広告依頼番号と共に表示される。ここで、符号Ｓｅ５０の前ページボタンを押すと、前データが表示され、符号Ｓｅ５１の次ページボタンを押すと、次データが表示される。なお、広告仲介者メニューから広告依頼条件を検索する場合は、検索結果として表示される該広告実施代理条件のデータの出力項目は、入力された全ての項目が出力されるようにしても良い。
【００９１】
広告仲介者：広告代理条件メニュー
Ｓｇ１画面で、広告代理条件メニューを選択する場合、符号Ｓｇ３の広告代理条件メニューのチェックボタンを押し、符号Ｓｇ６に、広告仲介者用の識別ＩＤを入力し、符号Ｓｇ７にはパスワードを入力し、符号Ｓｇ８のログインボタンを押すと、Ｓｇ２３ステップに進み、該識別ＩＤ及び該パスワードが正しいかどうかの判定が行われる。該識別ＩＤ及び該パスワードが正しくなければ、Ｓｇ１０画面に進み、エラー通知がなされる。該識別ＩＤ及び該パスワードが正しければ、図２０のＳｈ１画面に進み、広告代理条件メニュー画面が表示される。
【００９２】
広告仲介者：広告代理条件メニュー：登録
ここで、新規に広告代理条件を登録する場合には、符号Ｓｈ２のチェックボタンを押し、符号Ｓｈ８の次へボタンを押すと、図１１のＳｄ１３画面へ進む。以降の動作は上述の通りである。
【００９３】
広告仲介者：広告代理条件メニュー：修正又は削除
Ｓｈ１画面で登録済の広告代理条件を修正又は削除する場合には、符号Ｓｈ３のチェックボタンを押し、符号Ｓｈ７に修正又は削除したい広告依頼条件を最初に登録完了した後通知された広告依頼番号を入力し、符号Ｓｈ８の次へボタンを押すと、図１１のＳｄ１８画面へ進む。以降の動作は上述の通りである。更に、広告代理者が最初に入力を行った広告代理条件を、広告仲介者が修正又は削除する場合には、予め登録した該広告代理者のメールアドレスへ、該修正内容又は削除内容を送信するようにしても良い。
【００９４】
広告仲介者：広告代理条件メニュー：広告代理条件の閲覧
Ｓｈ１画面で登録済の広告代理条件を閲覧する場合には、符号Ｓｈ４のチェックボタンを押し、符号Ｓｈ７に閲覧したい広告依頼条件を最初に登録完了した後通知された広告依頼番号を入力し、符号Ｓｈ８の次へボタンを押すと、図１１のＳｄ２７画面へ進む。以降の動作は上述の通りである。
【００９５】
広告仲介者：広告代理条件メニュー：広告代理条件の一覧閲覧
Ｓｈ１画面で登録済の広告代理条件の一覧を閲覧する場合には、符号Ｓｈ５のチェックボタンを押し、符号Ｓｈ８の次へボタンを押すと、Ｓｈ９画面に進み、広告仲介者サーバ１の広告代理者ファイル１５に記憶されている広告代理条件のデータが全て出力され、図８に示すように一件毎に、広告代理番号と共に表示される。ここで、符号Ｓｂ５０の前ページボタンを押すと、前データが表示され、符号Ｓｂ５１の次ページボタンを押すと、次データが表示される。
【００９６】
広告仲介者：広告代理条件メニュー：広告代理条件検索
Ｓｈ１画面で登録済の広告代理条件の検索をする場合には、符号Ｓｈ６のチェックボタンを押し、符号Ｓｈ８の次へボタンを押すと、Ｓｈ１０画面に進み、図９のような検索画面が表示される。ここで例えば、符号Ｓｂ６０の業種や、符号Ｓｂ６１の広告付加対象及び数量や、符号Ｓｂ６２の営業時間等の検索条件を任意に入力し、符号Ｓｂ７の検索ボタンを押すと、Ｓｈ１２画面に進み、広告媒体情報仲介サーバ１の広告代理者ファイル１５に記憶されている広告代理条件のデータのうち、該検索条件の各検索項目毎に文字列検索又は数検索を行い、一致するデータがあれば全て出力され、図８に示すように一件毎に、広告代理番号と共に表示される。ここで、符号Ｓｂ５０の前ページボタンを押すと、前データが表示され、符号Ｓｂ５１の次ページボタンを押すと、次データが表示される。
【００９７】
広告仲介者：広告代理条件メニュー：削除データメニュー
Ｓｇ１画面で、削除データメニューを選択する場合、符号Ｓｇ４の削除データメニューのチェックボタンを押し、符号Ｓｇ６に、広告仲介者用の識別ＩＤを入力し、符号Ｓｇ７にはパスワードを入力し、符号Ｓｇ８のログインボタンを押すと、Ｓｇ２４ステップに進み、該識別ＩＤ及び該パスワードが正しいかどうかの判定が行われる。該識別ＩＤ及び該パスワードが正しくなければ、Ｓｇ２５画面に進み、エラー通知がなされる。該識別ＩＤ及び該パスワードが正しければ、Ｓｉ１画面に進み、広告媒体情報仲介サーバ１の広告依頼者ファイル１４又は広告代理者ファイル１５に記憶されている広告依頼条件データ又は広告代理条件のデータのうち、削除フラグが付与されているデータが表示される。例えば図２１のような画面が表示され、ここで、該データを削除する場合には、符号Ｓｉ２の削除ボタンを押すと、広告媒体情報仲介サーバ１の広告依頼者ファイル１４又は広告代理者ファイル１５に記憶されている該データが削除される。また、前データを表示したい場合は、前ボタンＳｉ４を押し、次データを表示したい場合は次ボタンＳｉ５を押すと、該当するデータが表示される。
【００９８】
広告仲介者：広告代理条件メニュー：応募データメニュー
Ｓｇ１画面で、応募データメニューを選択する場合、符号Ｓｇ５の応募データメニューのチェックボタンを押し、符号Ｓｇ６に、広告仲介者用の識別ＩＤを入力し、符号Ｓｇ７にはパスワードを入力し、符号Ｓｇ８のログインボタンを押すと、Ｓｇ２６ステップに進み、該識別ＩＤ及び該パスワードが正しいかどうかの判定が行われる。該識別ＩＤ及び該パスワードが正しくなければ、Ｓｇ２５画面に進み、エラー通知がなされる。該識別ＩＤ及び該パスワードが正しければ、Ｓｊ１画面に進み、広告媒体情報仲介サーバ１の広告依頼者ファイル１４又は広告代理者ファイル１５に記憶されている広告依頼条件データ又は広告代理条件のデータのうち、応募フラグが付与されているデータが、該データの番号及び該データに対して応募入力された番号と共に表示される。例えば広告依頼者が応募入力したデータの場合には、図２２のような画面が表示され、該広告依頼条件データに対して応募入力された広告代理番号と共に表示される。ここで、符号Ｓｊ２の、応募入力された広告代理番号が表示されたボタンを押すと、広告媒体情報仲介サーバ１の広告代理者ファイル１５に記憶されている、該番号に対応した広告代理条件のデータが図１５のように表示される。広告代理者が応募入力したデータの場合も同様の流れとなる。
【００９９】
図２３は、媒体のスケジュール管理表を示している。広告依頼者及び広告代理者はこのスケジュール表をホストサーバ上で検索することができる。図中、縦欄の「Ａ−１」〜「Ｄ−３」は広告代理者名が記載され、横欄の暦は様々な媒体が決定されていることを示し、広告代理者の営業マンは暦の空白部分について営業活動を行うことができる。また、広告仲介者が広告代理者より依頼を受けて営業活動を行う場合も有る。
【０１００】
上述のように登録された広告依頼条件及び広告代理条件を基に、広告仲介者は、互いに条件の合致する広告依頼者と広告代理者を引き合わせ、契約交渉や、広告付加物の製作に関する打ち合わせを行うことにより代理広告の実現を図る。なお、１つの広告依頼者に対して、複数の広告代理者が広告代理をしても良いし、逆に１つの広告代理者に対して、複数の広告依頼者が広告付加物の着用及び使用若しくは展示若しくは販売若しくは貸与又は配布による広告契約をしても良い。また、広告仲介者が広告代理者の広告代理条件を一括又は一部を買い取り、直接広告依頼者と広告付加物の着用及び使用若しくは展示若しくは販売又は貸与又は配布による広告契約の交渉を行っても良い。
【０１０１】
更に、上述した実施形態にあっては、サーバ１と、端末２、３、４とがインターネットＮＥＴを介して接続された構成としたが、本願においては、両者の接続形態については問われない。また、実施形態にあっては、サーバ１と接続される端末を端末２，３、４としたが、通常、広告依頼者及び広告受給者は複数存在するので、端末２，３，４以外であっても良い。また、広告仲介者の端末４は、インターネットＮＥＴを介して接続されず、直接サーバ１と接続されても良い。
【産業上の利用可能性】
【０１０２】
本発明によれば、広告依頼者は、希望の広告依頼条件で、人が身に付けたり使用したりして、動くという視覚的インパクトの強い広告代理を行うことができ、且つ様々な対象物に広告を付加する事ができる為、より大きな広告効果が期待できる。一方、広告代理者は、広告を付ける物が例えば業務用ユニフォームであれば、業務経費を軽減することができ、且つ広告収入を得ることができる。また、広告を付ける物が、ステージ衣装等であれば、衣装代や、ステージの製作費等を軽減することができ、且つ広告収入を得ることができる。また、スポーツチームであれば、チームユニフォーム代やスポーツ用具費等を軽減することができ、且つ広告収入を得ることができる。即ち、本発明によれば、広告依頼者は、希望の広告依頼条件で、人が着て、あるいは使用して動くという視覚的インパクトの強い広告付加物着用及び使用、展示、販売又は貸与、配布等を行うことができる為、より大きな広告効果が期待できる。一方、広告代理者は、広告を付ける対象が例えば業務用ユニフォームであれば、業務経費を軽減することができ、且つ広告収入を得ることができる。また、広告を付ける物が、ステージ衣装等であれば、衣装代や、ステージの製作費等を軽減することができ、且つ広告収入を得ることができる。また、スポーツチームであれば、チームユニフォーム代やスポーツ用具費等を軽減することができ、且つ広告収入を得ることができる。また、広告を付ける物が店舗及び施設のバルコニーテラス、テーブル、イス、ソファー、たたみ、ちゃぶ台、こたつ、タイル、天上、床、壁、照明機具、テーブルクロス、ランチョンマット、ナプキン、屋根、屋上、ディナーペーパー、トレーマット、トイレットペーパー、バナー、ファサード、看板、コースターバナー、のぼり、ひざ掛け、紙エプロン、メニュー表、レシート、パンフレット、ミラー、遊技台（パチスロ台、パチンコ台、ルーレット（台）、ゲーム機、ゲーム台、ダーツ（台）、ピンボール（台）、スロットマシーン、プリクラ、ゲームの景品）、窓ガラス、トランプ、箸、箸入れ、フォーク、スプーン、ストロー、ストロー袋、ショッピングバッグ、紙袋、玄関マット、ドア、カード、地図、ペットボトル容器（ラベルも含む）、コップ、皿、ボール、グラス、紙コップ等であれば、その費用を軽減することができ、且つ広告収入を得ることができる。
【０１０３】
本発明によれば、広告依頼者は簡単な操作によって広告依頼条件を登録することができ、一方広告代理者は簡単な操作によって広告代理条件を登録することでき、更に該広告依頼者は簡単な操作によって登録された広告代理条件の情報を得ることができ、該広告代理者は簡単な操作によって登録された広告依頼条件の情報を得ることができる。
【０１０４】
本発明によれば、広告依頼者は簡単な操作によって、希望する広告代理条件の情報を効率良く得ることができる。
【０１０５】
本発明によれば、広告代理者は簡単な操作によって、希望する広告依頼条件の情報を効率良く得ることができる。
【０１０６】
本発明によれば、広告依頼者は、希望する広告代理者と、簡単な操作で、且つタイムラグを少なく契約交渉又は契約手続を行うことができ、双方のビジネスを迅速に、スムーズに進めることができる。
【０１０７】
本発明によれば、広告代理者は、希望する広告依頼者と、簡単な操作で、且つタイムラグを少なく契約交渉又は契約手続を行うことができ、双方のビジネスを迅速に、スムーズに進めることができる。
【０１０８】
本発明によれば、広告依頼者は簡単な操作によって広告依頼条件を登録することができ、一方広告代理者は簡単な操作によって広告代理条件を登録することでき、更に該広告依頼者は簡単な操作によって登録された広告代理条件の情報を得ることができ、また該広告代理者は簡単な操作によって登録された広告依頼条件の情報を得ることができる。更にネットワークを介すことにより、広告依頼者と、広告代理者は、より多くの対象の中から、タイムラグをより少なく、広告取引相手を選出することが実現可能となり得る。
【０１０９】
本発明によれば、広告依頼者、広告代理者、広告仲介者以外による情報の入力や、出力が制限されるので、該システムの安全性及び信頼性を高く保つことができる。
【図面の簡単な説明】
【０１１０】
【図１】本発明における一実施形態の構成を示すブロック図
【図２】同実施形態における広告仲介者サーバの構成を示すブロック図
【図３】同実施形態における広告依頼者の動作を示すフロー図
【図４】同実施形態における広告依頼者の動作の一部を示すフロー図
【図５】同実施形態における広告依頼者用メニューの一部画面を示す図
【図６】同実施形態における広告依頼者用メニューの一部画面を示す図
【図７】同実施形態における広告依頼者用メニューの一部画面を示す図
【図８】同実施形態における広告依頼者用メニューの一部画面を示す図
【図９】同実施形態における広告依頼者用メニューの一部画面を示す図
【図１０】同実施形態における広告依頼者用メニューの一部画面を示す図
【図１１】同実施形態における広告代理者の動作を示すフロー図
【図１２】同実施形態における広告代理者の動作の一部を示すフロー図
【図１３】同実施形態における広告代理者用メニューの一部画面を示す図
【図１４】同実施形態における広告代理者用メニューの一部画面を示す図
【図１５】同実施形態における広告代理者用メニューの一部画面を示す図
【図１６】同実施形態における広告代理者用メニューの一部画面を示す図
【図１７】同実施形態における広告代理者用メニューの一部画面を示す図
【図１８】同実施形態における広告代理者用メニューの一部画面を示す図
【図１９】同実施形態における広告仲介者の動作を示す図
【図２０】同実施形態における広告仲介者の動作の一部を示す図
【図２１】同実施形態における広告仲介者用メニューの一部画面を示す図
【図２２】同実施形態における広告仲介者用メニューの一部画面を示す図
【図２３】同実施形態における媒体のスケジュール管理表を示す図
【符号の説明】
【０１１１】
１ サーバ
２ 端末
３ 端末
４ 端末
１０ 制御手段
１１ 入力制御手段
１２ 出力制御手段
１３ 記憶手段
１４ 記憶手段
１５ 記憶手段
【図１】
2007226816.tif 000003
【図２】
2007226816.tif 000004
【図３】
2007226816.tif 000005
【図４】
2007226816.tif 000006
【図５】
2007226816.tif 000007
【図６】
2007226816.tif 000008
【図７】
2007226816.tif 000009
【図８】
2007226816.tif 000010
【図９】
2007226816.tif 000011
【図１０】
2007226816.tif 000012
【図１１】
2007226816.tif 000013
【図１２】
2007226816.tif 000014
【図１３】
2007226816.tif 000015
【図１４】
2007226816.tif 000016
【図１５】
2007226816.tif 000017
【図１６】
2007226816.tif 000018
【図１７】
2007226816.tif 000019
【図１８】
2007226816.tif 000020
【図１９】
2007226816.tif 000021
【図２０】
2007226816.tif 000022
【図２１】
2007226816.tif 000023
【図２２】
2007226816.tif 000024
【図２３】
2007226816.tif 000025